(57)【要約】【課題】椅子状形態およびベッド状形態の両状態において、子供を日差しから有効に保護することのできる幌を備えた乳母車を提供する。【解決手段】乳母車１は、椅子状形態とベッド状形態とに切換え可能な座席２を有する座席本体と、座席２の上部を覆うような位置で乳母車本体に取り付けられた幌１０とを備える。幌１０は、椅子状形態の座席２を覆う上方位置と、ベッド状形態の座席２を覆う下方位置との間で高さ調節可能に設けられている。【選択図】        図２
2004276874.tif 000002
【特許請求の範囲】
【請求項１】
椅子状形態とベッド状形態とに切換え可能な座席を有する乳母車本体と、
座席の上部を覆うような位置で前記乳母車本体に取り付けられた幌とを備え、
前記幌は、椅子状形態の座席を覆う上方位置と、ベッド状形態の座席を覆う下方位置との間で高さ調節可能に設けられている、幌を備えた乳母車。
【請求項２】
前記幌は、前記上方位置および下方位置で、前記乳母車本体に着脱可能に取り付けられている、請求項１に記載の幌を備えた乳母車。
【発明の詳細な説明】
【０００１】
【発明の属する技術分野】
この発明は、椅子状形態とベッド状形態とに切換え可能な座席と、幌とを備えた乳母車に関するものである。
【０００２】
【従来の技術】
特開昭５７−９５２５４号公報は、椅子状形態とベッド状形態とに切換え可能な座席を有する乳母車を開示している。特開２００２−１８７５５４号公報は、座席の上部を覆う幌を備えた乳母車を開示している。
【０００３】
幌は、特に、座席に着座した子供を強い日差しから保護する機能を有する。
【０００４】
【特許文献１】
特開昭５７−９５２５４号公報
【０００５】
【特許文献２】
特開２００２−１８７５５４号公報
【０００６】
【発明が解決しようとする課題】
従来の乳母車においては、幌は、椅子状態の座席に適合する高さの位置で乳母車本体に取り付けられている。椅子状形態とベッド状形態とに切換え可能な座席を有する乳母車においても、幌は、椅子状形態の座席に適合する高さ位置で取り付けられる。そのため、座席をベッド状形態にしたとき、幌は、ベッド状の座席からかなり上方に位置することになり、子供を日差しから有効に保護できないような場合が生じ得る。
【０００７】
特に、軽量化、コンパクト化を狙った乳母車の場合、幌の大きさも小さくする傾向にあるので、乳母車をベッド状態にしたとき、子供を日差しから護るという幌本来の機能も果し得なくなるおそれがある。
【０００８】
この発明の目的は、椅子状形態およびベッド状形態の両状態において、子供を日差しから有効に保護することのできる幌を備えた乳母車を提供することである。
【０００９】
【課題を解決するための手段】
この発明に従った乳母車は、椅子状形態とベッド状形態とに切換え可能な座席を有する乳母車本体と、座席の上部を覆うような位置で乳母車本体に取り付けられた幌とを備える。幌は、椅子状形態の座席を覆う上方位置と、ベッド状形態の座席を覆う下方位置との間で高さ調節可能に設けられている。
【００１０】
一つの実施形態では、幌は、上方位置および下方位置で、乳母車本体に着脱可能に取り付けられている。
【００１１】
上記の本発明によれば、幌は、椅子状形態およびベッド状形態の両状態において、それぞれ最適な高さ位置にあるので、子供を日差しから有効に保護することができる。
【００１２】
【発明の実施の形態】
図１〜図５を参照して、この発明の一実施形態を説明する。
【００１３】
図１および図２を比較すれば明らかなように、乳母車１は、椅子状形態（図１）およびベッド状形態（図２）に切換え可能な座席２と、座席２の上部を覆う幌１０とを備える。乳母車１は、１対の手摺部材４の後方端部分から上方に延びている逆Ｕ字形状の押棒３を備えている。幌１０は、押棒１０の１対の縦棒３ａに着脱可能に取り付けられる。
【００１４】
図３は、幌１０を示す側面図である。幌１０は、取り付けベース１４から上方に延びている幌骨１１、１２と、幌骨上に被せられる幌布１３とを有する。図３では、幌布１３を想像線で示している。
【００１５】
幌１０は、図１に示す上方位置と、図２に示す下方位置との間で高さ調節可能に設けられている。すなわち、座席２を図１に示す椅子状形態にしたとき、幌１０の高さを椅子状形態に対して最適な上方位置にする。座席２を図２に示すベッド状形態にしたとき、幌１０の高さをベッド状形態に対して最適な下方位置にする。
【００１６】
上述のような幌１０の高さ調節を可能にするために、図示した実施形態では、幌１０は、押棒３の１対の縦棒３ａに着脱可能に取り付けられている。図４は、幌１０を押棒３に取り付ける前の状態を示し、図５は取り付け後の状態を示している。
【００１７】
図４に示すように、押棒３の１対の縦棒３ａは、前述した幌１０の上方位置および下方位置に対応する上下の２箇所の位置に、凹部３ｂを有する。幌１０の取り付けベース１４は、縦棒３ａの外面上に嵌る外筒部１４ａを有する。外筒部１４ａの内面には、縦棒３ａの凹部３ｂに係合する凸部１４ｂが設けられている。取り付けベース１４は、例えば樹脂で作られており、外筒部１４ａの直径を多少拡張できる弾力性を有している。
【００１８】
図４に示す状態から、幌１０の取り付けベース１４を押棒３の縦棒３ａに押し付ければ、図５に示すように、幌１０の取り付けベース１４の凸部１４ｂと縦棒３ａの凹部３ｂとが係合状態になり、幌１０の位置を固定できる。
【００１９】
こうして、本発明の一実施形態によれば、幌を、椅子状形態およびベッド状形態の両状態において、それぞれ最適な高さ位置に取り付けることができるので、子供を日差しから有効に保護することができる。
【００２０】
なお、上述の実施形態では、幌１０を押棒３に着脱可能に取り付けていたが、押棒以外の乳母車本体に取り付けることも可能である。
【００２１】
また、他の実施形態として、幌を乳母車本体に対して上下方向にスライド可能に設けるようにしてもよい。この場合であっても、幌は、椅子状形態に最適に適合する上方位置と、ベッド状形態に最適に適合する下方位置とを取り得るようにすることが必要である。
【００２２】
なお、高さ調節可能な幌を備える乳母車は従来から存在しているが、これらの乳母車では、幌は、椅子状形態に適した高さの範囲内で高さ調節可能になっているだけである。椅子状形態とベッド状形態の両状態において最適高さ位置を取り得るような幌を備えた乳母車は、従来、全く提供されていない。
【００２３】
好ましくは、幌は、椅子状形態に適した高さおよびベッド状形態に適した高さの両状態において、乳母車の折畳み動作に支障をきたさないように構成する。乳母車が椅子状形態になっているとき、幌は、通常、背もたれ部よりも上方に位置するので、その存在が背もたれ部と座部とを近づける折畳み動作に支障をきたさない。乳母車がベッド状形態になっているときには、幌は、ベッド状形態に適した高さになっている。幌をこの高さに維持したままで乳母車の折畳み動作を行なうと、幌は、背もたれ部と座部とに挟まれて前後方向に縮小する。
【００２４】
以上、図面を参照してこの発明の一実施形態を説明したが、この発明は、図示した実施形態に限定されるものではない。図示した実施形態に対して、この発明と同一の範囲内において、またはこの発明と均等の範囲内において種々の修正や変形を加えることが可能である。
【図面の簡単な説明】
【図１】座席が椅子状形態になっている乳母車を示す斜視図である。
【図２】座席がベッド状形態になっている乳母車を示す斜視図である。
【図３】幌を示す側面図である。
【図４】幌を押棒に取り付ける前の状態を示す断面図である。
【図５】幌を押棒に取り付けた状態を示す断面図である。
【符号の説明】
１  乳母車、２  座席、３  押棒、３ａ  縦棒、３ｂ  凹部、４  手摺部材、１０  幌、１１  幌骨、１２  幌骨、１３  幌布、１４  取り付けベース、１４ａ  外筒部、１４ｂ  凸部。
【図１】
2004276874.tif 000003
【図２】
2004276874.tif 000004
【図３】
2004276874.tif 000005
【図４】
2004276874.tif 000006
【図５】
2004276874.tif 000007